(57)【要約】【課題】燃焼室の内圧が急激に上昇することを抑制する。【解決手段】ペレットストーブ１０では、燃焼室２４が開閉扉２２によって閉鎖されている。ここで、燃焼室２４の内圧が急激に上昇する際には、燃焼室２４の内圧により開閉扉２２が押圧されることで、開閉扉２２が圧縮コイルブリング８６の付勢力に抗して回動されて、開閉扉２２による燃焼室２４の閉鎖が解除される。このため、燃焼室２４の内圧が急激に上昇することを抑制できる。【選択図】図６
2022001804.tif 000002
【特許請求の範囲】
【請求項１】
木質ペレットが燃焼されて空気が加熱される燃焼室と、
前記燃焼室の周壁を構成し、開放されて前記燃焼室が開放される開閉扉と、
前記開閉扉に付勢力を作用させて前記開閉扉が前記燃焼室を閉鎖し、前記燃焼室の内圧が上昇する場合に付勢力に抗して前記開閉扉による前記燃焼室の閉鎖が解除される付勢手段と、
を備える木質ペレット燃焼装置。
【請求項２】
前記開閉扉が回動されて開放及び閉鎖される請求項１記載の木質ペレット燃焼装置。
【請求項３】
前記開閉扉に設けられ、移動を規制されて前記開閉扉の開放が規制されると共に、前記付勢手段が設けられて前記開閉扉に付勢力を作用させる規制部を備える請求項１又は請求項２記載の木質ペレット燃焼装置。
【発明の詳細な説明】
【技術分野】
【０００１】
本発明は、燃焼室において木質ペレットが燃焼される木質ペレット燃焼装置に関する。
【背景技術】
【０００２】
下記特許文献１に記載のペレットストーブでは、燃焼室において木質ペレットが燃焼される。
【０００３】
ここで、このようなペレットストーブでは、木質ペレットが固形物であるため、木質ペレットの点火が気体燃料及び液体燃料に比べて不安定である。このため、木質ペレットの点火時には、木質ペレットの性状等に起因して、大量の可燃ガス（白煙）が発生して、可燃ガスに一気に引火することで、燃焼室の内圧が急激に上昇する可能性がある。
【先行技術文献】
【特許文献】
【０００４】
【特許文献１】特開２０１３−４４５１３号公報
【発明の概要】
【発明が解決しようとする課題】
【０００５】
本発明は、上記事実を考慮し、燃焼室の内圧が急激に上昇することを抑制できる木質ペレット燃焼装置を得ることを目的とするものである。
【課題を解決するための手段】
【０００６】
請求項１に記載の木質ペレット燃焼装置は、木質ペレットが燃焼されて空気が加熱される燃焼室と、前記燃焼室の周壁を構成し、開放されて前記燃焼室が開放される開閉扉と、前記開閉扉に付勢力を作用させて前記開閉扉が前記燃焼室を閉鎖し、前記燃焼室の内圧が上昇する場合に付勢力に抗して前記開閉扉による前記燃焼室の閉鎖が解除される付勢手段と、を備える。
【０００７】
請求項２に記載の木質ペレット燃焼装置は、請求項１に記載の木質ペレット燃焼装置において、前記開閉扉が回動されて開放及び閉鎖される。
【０００８】
請求項３に記載の木質ペレット燃焼装置は、請求項１又は請求項２に記載の木質ペレット燃焼装置において、前記開閉扉に設けられ、移動を規制されて前記開閉扉の開放が規制されると共に、前記付勢手段が設けられて前記開閉扉に付勢力を作用させる規制部を備える。
【発明の効果】
【０００９】
請求項１に記載の木質ペレット燃焼装置では、燃焼室において木質ペレットが燃焼されて空気が加熱される。また、開閉扉が燃焼室の周壁を構成しており、開閉扉が開放されて、燃焼室が開放される。
【００１０】
ここで、付勢手段が開閉扉に付勢力を作用させて、開閉扉が燃焼室を閉鎖しており、燃焼室の内圧が上昇する場合に、付勢手段の付勢力に抗して開閉扉による燃焼室の閉鎖が解除される。このため、燃焼室の内圧が急激に上昇することを抑制できる。
【００１１】
請求項２に記載の木質ペレット燃焼装置では、開閉扉が回動されて開放及び閉鎖される。このため、開閉扉の回動により開閉扉による燃焼室の閉鎖を解除でき、開閉扉による燃焼室の閉鎖を容易に解除できる。
【００１２】
請求項３に記載の木質ペレット燃焼装置では、開閉扉の規制部が移動を規制されて、開閉扉の開放が規制される。
【００１３】
ここで、付勢手段が、規制部に設けられて、開閉扉に付勢力を作用させる。このため、規制部の移動が規制される際における規制部への負荷を付勢手段が吸収できる。
【図面の簡単な説明】
【００１４】
【図１】本発明の実施形態に係るペレットストーブを示す右斜め前方から見た斜視図である。
【図２】本発明の実施形態に係るペレットストーブを示す右方から見た断面図である。
【図３】本発明の実施形態に係るペレットストーブを示す前方から見た断面図である。
【図４】本発明の実施形態に係るペレットストーブにおける開閉扉を示す左斜め後方から見た斜視図である。
【図５】本発明の実施形態に係るペレットストーブにおける開閉扉の主要部を示す左斜め後方から見た斜視図である。
【図６】本発明の実施形態に係るペレットストーブにおける燃焼室を示す上方から見た断面図である。
【発明を実施するための形態】
【００１５】
図１には、本発明の実施形態に係る木質ペレット燃焼装置としてのペレットストーブ１０が右斜め前方から見た斜視図にて示されている。また、図２には、ペレットストーブ１０が右方から見た断面図にて示されており、図３には、ペレットストーブ１０が前方から見た断面図にて示されている。なお、図面では、ペレットストーブ１０の前方を矢印ＦＲで示し、ペレットストーブ１０の左方を矢印ＬＨで示し、上方を矢印ＵＰで示している。
【００１６】
本実施形態に係るペレットストーブ１０は、密閉式（ＦＦ式）のものにされると共に、建物の室内（設置空間）に設置されている。
【００１７】
図１〜図３に示す如く、ペレットストーブ１０には、略直方体箱状の筐体１２が設けられており、筐体１２は、ペレットストーブ１０の外面を構成している。筐体１２の後壁の下部には、通気口１４が貫通形成されており、通気口１４は、筐体１２内を筐体１２の後側の室内に開放させている。
【００１８】
筐体１２の後部の上側部分には、収容部としての漏斗状のホッパ１６が設けられており、ホッパ１６内は上側に開放されている。ホッパ１６の上側には、略板状のホッパ蓋１６Ａが設けられており、ホッパ蓋１６Ａは、ホッパ１６内を上側から閉鎖している。ホッパ蓋１６Ａは、回動可能にされており、ホッパ蓋１６Ａが上側に回動されて、ホッパ１６内が上側に開放される。ホッパ１６内には、加工燃料である例えば円柱状の木質ペレット１８が収容されており、木質ペレット１８は、間伐材等が粉砕圧縮加工されて製造されている。
【００１９】
ホッパ１６の下側には、供給手段としての供給スクリュー２０が固定されている。供給スクリュー２０には、円筒状の搬送筒２０Ａが設けられており、搬送筒２０Ａの軸方向は、前方へ向かうに従い上方へ向かう方向に傾斜されている。搬送筒２０Ａ内の下端部（後端部）には、ホッパ１６内の下端が連通されており、搬送筒２０Ａ内の下端部には、ホッパ１６内の木質ペレット１８が流下される。搬送筒２０Ａ内には、スクリュー２０Ｂが同軸上に設けられており、スクリュー２０Ｂの下端（後端）には、供給駆動手段としての供給モータ２０Ｃが接続されている。供給モータ２０Ｃは、制御装置（図示省略）に電気的に接続されており、制御装置の制御により供給モータ２０Ｃが駆動されることで、スクリュー２０Ｂが回転されて、搬送筒２０Ａ内の木質ペレット１８が上側（前側）に搬送される。搬送筒２０Ａの上端部（前端部）には、供給筒２０Ｄが接続されており、供給筒２０Ｄの軸方向は、前方へ向かうに従い下方へ向かう方向に傾斜されている。供給筒２０Ｄ内の上端部（後端部）は、搬送筒２０Ａ内の上端部に連通されており、搬送筒２０Ａ内の上端部に搬送された木質ペレット１８が供給筒２０Ｄ内を前側に流下される。
【００２０】
筐体１２の前部には、直方体状の燃焼室２４が設けられており、燃焼室２４の後壁には、供給スクリュー２０の供給筒２０Ｄが貫通されている。燃焼室２４の左壁及び右壁の上端部には、長尺矩形状の加熱孔２６が貫通形成されており、加熱孔２６は、前後方向に延伸されている。筐体１２の前端部近傍には、燃焼室２４の前側の全周において、シール部としての矩形環状のシール壁１２Ａ（図２参照）が設けられており、シール壁１２Ａは、平板状にされて、前後方向に垂直に配置されている。
【００２１】
筐体１２の前端部には、略矩形板状の開閉扉２２（図４及び図５参照）が設けられており、開閉扉２２は、閉鎖されて、筐体１２の前壁及び燃焼室２４の前壁（周壁）を構成している。開閉扉２２の後面周部には、シール部材としての矩形枠状のガスケット２２Ａが固定されており、ガスケット２２Ａは、耐熱ゴム製にされると共に、後側に突出されている。ガスケット２２Ａは、全周において、筐体１２のシール壁１２Ａとの間で弾性収縮されており、これにより、ガスケット２２Ａがシール壁１２Ａと開閉扉２２との間をシールして、開閉扉２２が燃焼室２４の前側を閉鎖している。開閉扉２２には、ガスケット２２Ａの内側において、視認部としての矩形板状の耐熱ガラス２２Ｂが設けられており、耐熱ガラス２２Ｂは、透明にされて、筐体１２の前側から燃焼室２４を視認可能にしている。
【００２２】
開閉扉２２の左端部には、円柱状の回動軸２２Ｃが設けられており、開閉扉２２は、回動軸２２Ｃにおいて筐体１２に支持されて、回動軸２２Ｃを中心として回動（移動）可能にされている。
【００２３】
開閉扉２２の後面の右端部には、上下方向中間部において、被付勢部材としての付勢板８０が設けられている。付勢板８０の前側には、Ｕ字形板状の前壁８０Ａが設けられており、前壁８０Ａは、開閉扉２２に固定されると共に、上端部及び下端部が左側に延出されている。付勢板８０の左側の上部及び下部には、矩形板状の左壁８０Ｂが設けられており、上側の左壁８０Ｂは、前壁８０Ａの上端部から後側及び上側に延出されると共に、下側の左壁８０Ｂは、前壁８０Ａの下端部から後側及び下側に延出されている。付勢板８０の後側の上端部及び下端部には、矩形板状の後壁８０Ｃが設けられており、上側及び下側の後壁８０Ｃは、それぞれ上側及び下側の左壁８０Ｂの上側部から右側に延出されている。
【００２４】
開閉扉２２の後面には、付勢板８０の周囲において、付勢部材（規制部）としての規制板８２が設けられている。規制板８２の右側には、Ｔ字形板状の右壁８２Ａが設けられており、右壁８２Ａは、付勢板８０の前壁８０Ａの後側、上側及び下側に配置されると共に、上下方向中間部が後側に突出されている。規制板８２の前側の上端部及び下端部には、矩形板状の前壁８２Ｂが設けられており、上側及び下側の前壁８２Ｂは、それぞれ右壁８２Ａの上端部及び下端部から左側に延出されている。上側及び下側の前壁８２Ｂは、それぞれ付勢板８０の前壁８０Ａの上側及び下側に配置されており、上側及び下側の前壁８２Ｂは、それぞれ付勢板８０の上側及び下側の後壁８０Ｃと前後方向において対向されている。
【００２５】
付勢板８０の上側及び下側の後壁８０Ｃと規制板８２の上側及び下側の前壁８２Ｂとは、それぞれ連結部材としての略円柱状の連結ピン８４によって連結されており、連結ピン８４は、付勢板８０の規制板８２に対する上下方向への移動を規制すると共に、付勢板８０の規制板８２に対する前後方向への所定範囲での移動及び左右方向への所定範囲での移動を許可している。
【００２６】
付勢板８０の上側及び下側の後壁８０Ｃと規制板８２の上側及び下側の前壁８２Ｂとの間には、それぞれ付勢手段としての螺旋状の圧縮コイルブリング８６が掛渡されており、圧縮コイルブリング８６内には、連結ピン８４が同軸上に貫通されている。圧縮コイルブリング８６の後端は、付勢板８０（後壁８０Ｃ）に固定されると共に、圧縮コイルブリング８６の前端は、規制板８２（前壁８２Ｂ）に固定されており、圧縮コイルブリング８６は、付勢板８０の規制板８２に対する左右方向への移動を制限している。圧縮コイルブリング８６は、付勢板８０に規制板８２に対する後側への付勢力を作用させており、圧縮コイルブリング８６は、付勢板８０の規制板８２に対する前後方向への移動を制限している。
【００２７】
規制板８２の右壁８２Ａの上下方向中間部には、規制部位としての円柱状の規制ピン８２Ｃが固定されており、規制ピン８２Ｃは、左側に突出されている。筐体１２の右端部には、規制機構（図示省略）が設けられており、規制機構には、規制部材としての例えばＬ字形板状の規制フックが回動可能に設けられている。規制機構は、規制操作されて、規制フックが回動により規制ピン８２Ｃに引っ掛けられており、これにより、規制板８２（規制ピン８２Ｃ）の前側への移動が規制されて、開閉扉２２の前側への回動が規制（ロック）されている。規制機構が解除操作された際には、規制フックの回動により、規制フックの規制ピン８２Ｃへの引っ掛けが解除されて、規制板８２（規制ピン８２Ｃ）の前側への移動規制が解除されることで、開閉扉２２の前側への回動規制が解除されて、開閉扉２２が開放可能にされる。
【００２８】
図２及び図３に示す如く、燃焼室２４の後側の下部には、直方体形箱状の燃焼箱２８が設けられており、燃焼箱２８の後壁は、燃焼室２４の後壁にされている。燃焼箱２８の前側かつ上側の部分には、直方体形箱状の燃焼炉３０が設けられており、燃焼炉３０の前壁、左壁及び右壁は、それぞれ燃焼箱２８の前壁、左壁及び右壁にされると共に、燃焼炉３０内は、燃焼箱２８の上側に開放されている。燃焼炉３０の下壁及び後壁は、ロストル３０Ａにされており、ロストル３０Ａには、多数の空気孔３２が貫通形成されている。燃焼炉３０内の上側には、供給スクリュー２０の供給筒２０Ｄの前端（下端）が配置されており、供給筒２０Ｄ内を前側に流下された木質ペレット１８が燃焼炉３０内に流下されて供給される。また、燃焼箱２８内の燃焼炉３０外側の部分は、給気室３４にされている。
【００２９】
燃焼炉３０の後壁には、点火筒３６が接続されており、点火筒３６は、内部が燃焼炉３０内に連通されると共に、燃焼室２４の後壁を貫通されて燃焼室２４から後方に延出されている。点火筒３６内には、点火ヒータ３８が設けられており、点火ヒータ３８は、制御装置に電気的に接続されている。点火ヒータ３８は、制御装置の制御により発熱可能にされており、点火ヒータ３８が発熱されて、燃焼炉３０内の木質ペレット１８が加熱されることで、点火ヒータ３８が当該木質ペレット１８に点火可能にされている。
【００３０】
燃焼箱２８の後壁（燃焼室２４の後壁）には、点火筒３６の下側において、給気筒４０が接続されており、給気筒４０は、内部が燃焼箱２８内の給気室３４に連通されると共に、燃焼室２４から後方に延出されている。
【００３１】
点火筒３６の後側及び給気筒４０の後側には、給気箱４２が接続されており、給気箱４２内は、点火筒３６内及び給気筒４０内に連通されている。給気箱４２の後壁には、給気管４２Ａが接続されており、給気管４２Ａは、内部が給気箱４２内に連通されると共に、給気箱４２から後側に延出されている。給気管４２Ａは、給気中継箱４３を介して給気管４２Ｂに連通されており、給気管４２Ｂは、筐体１２の後壁の下部を貫通して建物の外側（屋外）に延出されている。
【００３２】
燃焼室２４の左側及び右側には、それぞれ直方体状の左加熱室４４及び右加熱室４６が設けられており、左加熱室４４及び右加熱室４６の前壁は、筐体１２のシール壁１２Ａにされている。左加熱室４４の右壁は、燃焼室２４の左壁にされると共に、右加熱室４６の左壁は、燃焼室２４の右壁にされており、左加熱室４４及び右加熱室４６は、燃焼室２４の加熱孔２６を介して燃焼室２４に連通されている。
【００３３】
燃焼室２４の下端部には、燃焼箱２８の直下において、直方体形箱状の灰受トレイ４８が嵌合されており、灰受トレイ４８内は、上側に開放されて、燃焼室２４に連通されている。灰受トレイ４８は、前後方向にスライド可能にされており、開閉扉２２が開放された状態で、灰受トレイ４８が前側にスライドされることで、灰受トレイ４８を燃焼室２４外（筐体１２外）に取り出し可能にされている。
【００３４】
燃焼室２４、左加熱室４４及び右加熱室４６の後壁の下端部には、給気筒４０の下側において、排気箱５２が接続されており、排気箱５２内は、左加熱室４４及び右加熱室４６に連通されている。排気箱５２内には、循環手段を構成する循環部としての排気ファン５４が設けられており、排気ファン５４には、循環手段を構成する循環駆動部としての排気モータ５６が接続されている。排気モータ５６は、制御装置に電気的に接続されており、制御装置の制御により排気モータ５６が駆動されることで、排気ファン５４が回転されて、左加熱室４４及び右加熱室４６の空気が排気箱５２内に吸引される。このため、建物の外側の空気が後記排気管５８外周の給気管４２Ｂ内、給気中継箱４３内、給気管４２Ａ内、給気箱４２内及び点火筒３６内を介して燃焼炉３０内に吸引される。また、給気箱４２内に吸引された空気が、給気筒４０内、燃焼箱２８内の給気室３４及び燃焼炉３０のロストル３０Ａの空気孔３２を介して燃焼炉３０内に吸引される。さらに、燃焼炉３０内に吸引された空気が、燃焼室２４に吸引されて、燃焼室２４の各加熱孔２６を介して左加熱室４４及び右加熱室４６に吸引される。
【００３５】
排気箱５２の後壁には、排気管５８が接続されており、排気管５８は、内部が排気箱５２内に連通されると共に、後方に延出されて給気中継箱４３及び給気管４２Ｂの中に嵌通されている。排気管５８は、建物の外側（屋外）に延出されており、排気ファン５４によって排気箱５２内に吸引された空気が排気管５８内を介して建物の外側に排出される。
【００３６】
左加熱室４４の左側及び右加熱室４６の右側には、それぞれ熱交換室としての直方体状の左熱交換室６０及び右熱交換室６２が設けられており、左熱交換室６０の右壁及び右熱交換室６２の左壁の上端部以外の部分は、それぞれ左加熱室４４の左壁及び右加熱室４６の右壁にされている。左熱交換室６０の左壁及び右熱交換室６２の右壁は、それぞれ筐体１２の左壁及び右壁にされており、左熱交換室６０及び右熱交換室６２の前壁及び上壁は、それぞれ筐体１２のシール壁１２Ａ及び上壁にされている。
【００３７】
燃焼室２４、左加熱室４４、右加熱室４６、左熱交換室６０及び右熱交換室６２の後側には、熱交換室としての略直方体状の後熱交換室６４が設けられており、後熱交換室６４の前壁の上端部、左端部及び右端部以外の部分は、燃焼室２４、左加熱室４４及び右加熱室４６の後壁にされている。後熱交換室６４の前壁の左端部及び右端部は、それぞれ左熱交換室６０及び右熱交換室６２の後壁にされており、後熱交換室６４の左端部及び右端部の上部は、前側に開放された通過孔６９が形成されて、それぞれ左熱交換室６０及び右熱交換室６２の上部に連通されている。後熱交換室６４の左壁、右壁及び上壁は、それぞれ筐体１２の左壁、右壁及び上壁にされており、後熱交換室６４の後壁の上側部分は、断熱構造材で構成されてホッパ１６の前壁に接合されている。後熱交換室６４の後壁には、供給スクリュー２０の搬送筒２０Ａが貫通されており、後熱交換室６４の下部は、後側に開放されて、ホッパ１６及び供給スクリュー２０の下側を介して筐体１２後壁の通気口１４に連通されている。
【００３８】
燃焼室２４、左加熱室４４及び右加熱室４６の上側には、熱交換室としての略直方体状の上熱交換室６６が設けられており、上熱交換室６６の下壁は、燃焼室２４、左加熱室４４及び右加熱室４６の上壁にされると共に、上熱交換室６６の上壁は、筐体１２の上壁にされている。上熱交換室６６の前壁は、筐体１２のシール壁１２Ａにされており、上熱交換室６６の左壁、右壁及び後壁は、それぞれ左熱交換室６０の右壁、右熱交換室６２の左壁及び後熱交換室６４の前壁にされている。上熱交換室６６の左壁、右壁及び後壁には、それぞれ矩形状の通過孔６８が複数貫通形成されており、上熱交換室６６の左壁、右壁及び後壁における複数の通過孔６８は、それぞれ上熱交換室６６を左熱交換室６０、右熱交換室６２及び後熱交換室６４の上端部に連通させている。上熱交換室６６の上壁には、開放口としての矩形状のスリット７０が複数貫通形成されており、複数のスリット７０は、上熱交換室６６を筐体１２の上側の室内に開放させている。
【００３９】
燃焼室２４、左加熱室４４及び右加熱室４６の下側には、直方体状の温風室７２が設けられており、温風室７２の左端部及び右端部は、それぞれ左熱交換室６０及び右熱交換室６２の下端部に連通されている。温風室７２の下壁は、筐体１２の下壁にされており、温風室７２の前壁は、筐体１２の前壁にされている。温風室７２の前壁には、鎧戸状の吹出口７４が貫通形成されており、吹出口７４は、温風室７２を筐体１２下端部の前側の室内に開放させている。
【００４０】
温風室７２内には、温風ファン７６が設けられており、温風ファン７６には、温風モータ７８が接続されている。温風モータ７８は、制御装置に電気的に接続されており、制御装置の制御により温風モータ７８が駆動されることで、温風ファン７６が回転されて、温風室７２の空気が吹出口７４から前側に吹出される。このため、筐体１２の後側の室内の空気が、筐体１２後壁の通気口１４を介して後熱交換室６４に吸引されて、上熱交換室６６後壁の複数の通過孔６８を介して上熱交換室６６に吸引されると共に、左熱交換室６０及び右熱交換室６２の上部の通過孔６９を介してそれぞれ左熱交換室６０及び右熱交換室６２に吸引される。また、筐体１２の上側の室内の空気が、上熱交換室６６上壁の複数のスリット７０を介して上熱交換室６６に吸引される。さらに、上熱交換室６６に吸引された空気が、上熱交換室６６の左壁及び右壁における複数の通過孔６８を介してそれぞれ左熱交換室６０及び右熱交換室６２に吸引される。しかも、左熱交換室６０及び右熱交換室６２に吸引された空気が温風室７２に吸引される。
【００４１】
次に、本実施形態の作用を説明する。
【００４２】
以上の構成のペレットストーブ１０では、供給スクリュー２０において、制御装置の制御により供給モータ２０Ｃが駆動されて、スクリュー２０Ｂが回転されることで、ホッパ１６内の木質ペレット１８が、搬送筒２０Ａ内に流下されて、搬送筒２０Ａ内を搬送される。さらに、搬送筒２０Ａ内を搬送された木質ペレット１８が、供給筒２０Ｄ内を流下されて、燃焼室２４における燃焼炉３０内に流下される。
【００４３】
また、制御装置の制御により排気モータ５６が駆動されて、排気ファン５４が回転されることで、左加熱室４４及び右加熱室４６の空気が、排気箱５２内に吸引されて、排気管５８内を介して建物の外側に排出される。このため、建物の外側の空気が排気管５８外周の給気管４２Ｂ内、給気中継箱４３内、給気管４２Ａ内、給気箱４２内及び点火筒３６内を介して燃焼炉３０内に吸引される。また、給気箱４２内に吸引された空気が、給気筒４０内、燃焼箱２８内の給気室３４及び燃焼炉３０のロストル３０Ａの空気孔３２を介して燃焼炉３０内に吸引される。さらに、燃焼炉３０内に吸引された空気が、燃焼室２４に吸引されて、燃焼室２４の各加熱孔２６を介して左加熱室４４及び右加熱室４６に吸引される。
【００４４】
しかも、制御装置の制御により点火ヒータ３８が発熱して点火筒３６内の空気を加熱する。このため、当該空気が燃焼炉３０内に吸引されて燃焼炉３０内の木質ペレット１８を加熱することで、当該木質ペレット１８が点火される。さらに、給気室３４の空気が燃焼炉３０のロストル３０Ａの空気孔３２を介して燃焼炉３０内に吸引（噴出）される。これにより、当該木質ペレット１８が燃焼されて、燃焼炉３０の上側に炎Ｆが立ち上ることで、燃焼室２４の空気が加熱されて、当該空気が燃焼室２４の各加熱孔２６を介して左加熱室４４及び右加熱室４６に吸引される。なお、当該木質ペレット１８の燃焼により灰が発生して燃焼室２４に飛散するが、当該灰は自然落下して灰受トレイ４８内に収容される。
【００４５】
また、制御装置の制御により温風モータ７８が駆動されることで、温風ファン７６が回転されて、温風室７２の空気が吹出口７４から前側に吹出される。このため、筐体１２の後側の室内の空気が、筐体１２後壁の通気口１４を介して後熱交換室６４に吸引されて、上熱交換室６６後壁の複数の通過孔６８を介して上熱交換室６６に吸引されると共に、左熱交換室６０及び右熱交換室６２の上部の通過孔６９を介してそれぞれ左熱交換室６０及び右熱交換室６２に吸引される。また、筐体１２の上側における室内の空気が、上熱交換室６６上壁の複数のスリット７０を介して上熱交換室６６に吸引される。さらに、上熱交換室６６に吸引された空気が、上熱交換室６６の左壁及び右壁における複数の通過孔６８を介してそれぞれ左熱交換室６０及び右熱交換室６２に吸引される。しかも、左熱交換室６０及び右熱交換室６２に吸引された空気が温風室７２に吸引される。
【００４６】
これにより、後熱交換室６４の空気が後熱交換室６４の前壁（燃焼室２４、左加熱室４４及び右加熱室４６の後壁）を介して燃焼室２４の加熱された空気との間で熱交換されて加熱される。さらに、上熱交換室６６の空気が上熱交換室６６の下壁（燃焼室２４、左加熱室４４及び右加熱室４６の上壁）を介して燃焼室２４、左加熱室４４及び右加熱室４６の加熱された空気との間で熱交換されて加熱される。また、左熱交換室６０の空気が左熱交換室６０の右壁（左加熱室４４の左壁）を介して左加熱室４４の加熱された空気との間で熱交換されて加熱される。さらに、右熱交換室６２の空気が右熱交換室６２の左壁（右加熱室４６の右壁）を介して右加熱室４６の加熱された空気との間で熱交換されて加熱される。
【００４７】
したがって、後熱交換室６４、上熱交換室６６、左熱交換室６０及び右熱交換室６２において加熱された空気が、温風ファン７６によって、温風室７２に吸引されて、吹出口７４から筐体１２下端部の前側の室内に吹出される。このため、室内の空気が、ペレットストーブ１０によって強制対流されながら暖められて、短時間で温度ムラを少なくされて暖められる。
【００４８】
ところで、燃焼炉３０内の木質ペレット１８が、点火筒３６内の点火ヒータ３８により加熱された空気によって加熱されて、点火される際には、木質ペレットの性状、燃焼炉３０内への灰の残存程度、及び、点火筒３６内及び燃焼炉３０内に吸引される建物外側の空気の温度等に起因して、大量の可燃ガス（白煙）が発生して、可燃ガスに一気に引火する（所謂爆発燃焼が発生する）ことで、燃焼室２４の内圧が急激に上昇する可能性がある。
【００４９】
ここで、燃焼室２４の内圧が急激に上昇する際には、燃焼室２４の内圧により開閉扉２２が前側に押圧されることで、開閉扉２２において、圧縮コイルブリング８６の付勢力に抗して、付勢板８０が規制板８２に対し前側に回動されて、開閉扉２２が前側に回動される（図６参照）。このため、燃焼室２４の内圧の上昇度合いに応じて、開閉扉２２による燃焼室２４の閉鎖が解除されて、燃焼室２４の空気が筐体１２の外側に放出されることで、燃焼室２４の内圧が急激に上昇することを抑制できる。これにより、開閉扉２２（例えば耐熱ガラス２２Ｂ）が破損することを抑制できる。
【００５０】
さらに、開閉扉２２が、回動されて、開放及び閉鎖される。このため、燃焼室２４の内圧が急激に上昇する際には、開閉扉２２の回動により開閉扉２２による燃焼室２４の閉鎖を解除でき、開閉扉２２のスライドにより開閉扉２２による燃焼室２４の閉鎖を解除する場合とは異なり、開閉扉２２による燃焼室２４の閉鎖を容易に解除できる。
【００５１】
また、開閉扉２２では、圧縮コイルブリング８６が付勢板８０と規制板８２との間に設けられている。このため、規制機構の規制フックが規制板８２の規制ピン８２Ｃに引っ掛けられて開閉扉２２の回動が規制される際、及び、規制フックの規制ピン８２Ｃへの引っ掛けが解除されて開閉扉２２の回動規制が解除される際には、規制フックから規制板８２（規制ピン８２Ｃを含む）への負荷を圧縮コイルブリング８６が吸収でき、規制機構による開閉扉２２の回動の規制及び規制解除を容易に行うことができる。
【００５２】
さらに、開閉扉２２では、圧縮コイルブリング８６によって、付勢板８０が規制板８２に対し後側に付勢されて、開閉扉２２が後側に付勢されている。このため、開閉扉２２のガスケット２２Ａが経年劣化しても、圧縮コイルブリング８６の付勢力によりガスケット２２Ａによる筐体１２のシール壁１２Ａと開閉扉２２との間のシール性能を維持できる。これにより、ペレットストーブ１０の使用期間が長くなっても、開閉扉２２による燃焼室２４の閉鎖性能を維持できる。
【００５３】
なお、本実施形態では、圧縮コイルブリング８６が開閉扉２２（付勢板８０）と規制板８２との間に設けられる。しかしながら、圧縮コイルブリング８６が開閉扉２２又は筐体１２と回動軸２２Ｃの軸受との間に設けられてもよい。
【００５４】
さらに、本実施形態では、開閉扉２２が回動可能にされる。しかしながら、開閉扉２２がスライド可能にされてもよい。
【００５５】
また、本実施形態では、本発明をペレットストーブ１０に対して適用した場合について説明した。しかしながら、本発明は木質ペレットを燃料として用いるボイラー等に対しても適用することができる。
【符号の説明】
【００５６】
１０    ペレットストーブ（木質ペレット燃焼装置）
１８    木質ペレット
２２    開閉扉
２４    燃焼室
８２    規制板（規制部）
８６    圧縮コイルブリング（付勢手段）
【図１】
2022001804.tif 000003
【図２】
2022001804.tif 000004
【図３】
2022001804.tif 000005
【図４】
2022001804.tif 000006
【図５】
2022001804.tif 000007
【図６】
2022001804.tif 000008